Podtech/llm-jp-corpus-v4-ja_patent huggingface dataset:
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
１，１，１，３，３−ペンタクロロプロパンを少なくとも９９重量％含み、ジクロロプロパン、トリクロロプロパン、テトラクロロプロパン、１，１，１，３，３−ペンタクロロプロパン以外のペンタクロロプロパン、ヘキサクロロプロパン、ヘプタクロロプロパン、クロロプロペン、ジクロロプロペン、トリクロロプロペン、テトラクロロプロペン、ペンタクロロプロペンおよびヘキサクロロプロペンからなる追加の化合物のリストから選択される少なくとも１つの化合物を含む組成物であって、該化合物は５００ｐｐｍ以下の重量含有量で組成物中に存在する該組成物。
【請求項２】
前記化合物は２５０ｐｐｍ以下の重量含有量で組成物中に存在する請求項１に記載の組成物。
【請求項３】
追加の化合物の前記リストから選択される複数の化合物を含み、前記複数の化合物の各々は、５００ｐｐｍ以下の重量含有量で組成物中に存在する請求項１または２に記載の組成物。
【請求項４】
追加の化合物の前記リストから選択される複数の化合物を含み、前記リストの化合物の全ての総重量含有量は１０００ｐｐｍ以下である請求項１から３のいずれか一項に記載の組成物。
【請求項５】
少なくとも９９．５重量％の１，１，１，３，３−ペンタクロロプロパンを含む請求項１から４のいずれか一項に記載の組成物。
【請求項６】
ヘキサクロロプロペンおよびヘプタクロロプロパンからなる群から選択される少なくとも１つの化合物を含み、組成物中のこれらの化合物の各々の重量含有量は５００ｐｐｍ以下であり、場合により組成物中のこの群の化合物の総重量含有量は５００ｐｐｍ以下である請求項１から５のいずれか一項に記載の組成物。
【請求項７】
ペンタクロロプロペンおよびヘキサクロロプロパンからなる群から選択される少なくとも１つの化合物を含み、組成物中のこれらの化合物の各々の重量含有量は５００ｐｐｍ以下であり、場合により組成物中のこの群の化合物の総重量含有量は５００ｐｐｍ以下である請求項１から６のいずれか一項に記載の組成物。
【請求項８】
テトラクロロプロペン、および１，１，１，３，３−ペンタクロロプロパン以外のペンタクロロプロパンからなる群から選択される少なくとも１つの化合物を含み、組成物中のこれらの化合物の各々の重量含有量は５００ｐｐｍ以下であり、場合により組成物中のこの群の化合物の総重量含有量は５００ｐｐｍ以下である請求項１から７のいずれか一項に記載の組成物。
【請求項９】
２，３，３，３−テトラクロロプロペン、１，１，２，３−テトラクロロプロペン、１，１，１，２，３−ペンタクロロプロパン、１，１，２，２，３−ペンタクロロプロパンおよび１，１，１，２，２−ペンタクロロプロパンからなる群から選択される少なくとも１つの化合物を含み、組成物中のこれらの化合物の各々の重量含有量は５００ｐｐｍ以下であり、場合により組成物中のこの群の化合物の総重量含有量は５００ｐｐｍ以下である請求項１から８のいずれか一項に記載の組成物。
【請求項１０】
トリクロロプロペンおよびテトラクロロプロパンからなる群から選択される少なくとも１つの化合物を含み、組成物中のこれらの化合物の各々の重量含有量は５００ｐｐｍ以下であり、場合により組成物中のこの群の化合物の総重量含有量は５００ｐｐｍ以下である請求項１から９のいずれか一項に記載の組成物。
【請求項１１】
１，１，３−トリクロロプロペン、３，３，３−トリクロロプロペン、１，１，１，３−テトラクロロプロパン、１，１，２，３−テトラクロロプロパンおよび１，１，１，２−テトラクロロプロパンからなる群から選択される少なくとも１つの化合物を含み、組成物中のこれらの化合物の各々の重量含有量は５００ｐｐｍ以下であり、場合により組成物中のこの群の化合物の総重量含有量は５００ｐｐｍ以下である請求項１から１０のいずれか一項に記載の組成物。
【請求項１２】
特にトランス形態の１，３，３，３−テトラフルオロプロペンを製造する方法であって、
−  請求項１から１１のいずれか一項に記載の組成物の提供；
−  この組成物とフッ化水素酸との反応
を含む該方法。
【請求項１３】
触媒フッ素化の単一工程を含む請求項１２に記載の方法。
【請求項１４】
触媒フッ素化の２つの連続工程、即ち：
−  中間生成物を製造するために、気相中での前記組成物とフッ化水素酸との反応；
−  場合により中間生成物の精製；次いで
−  １，３，３，３−テトラフルオロプロペンを製造するために、気相中での中間生成物とフッ化水素酸との反応
を含む、請求項１２に記載の方法。
(57)【特許請求の範囲】
【請求項１】
内容物を押しボタンの押圧操作によって吐出させるディスペンサーにおいて、硬質樹脂または金属製のノズルの先端開口部の外に突き出るように、ノズル通路内にシリコンゴム製で且つ先端から基端までの間の外周に段差がないチューブを抜き取り可能に挿入してなる液垂れ防止機能付きディスペンサー。
【請求項２】
ノズルの先端開口部から外に突き出たチューブの先端が、斜めにカットされている、請求項１に記載の液垂れ防止機能付きディスペンサー。
【発明の詳細な説明】
【技術分野】
【０００１】
本発明は、液垂れ防止機能付きディスペンサーに関する。さらに詳細には、ディスペンサーのノズル部に液垂れ防止チューブを挿入設置してなる、構造が単純で、安価な液垂れ防止機能付きディスペンサーに関する。
【背景技術】
【０００２】
例えば、シャンプー、リンス、乳液等の容器には、頭部に設けられた押しボタンを押圧操作することにより内容物を吐出させるディスペンサーが取付けられているものがある。このようなディスペンサー付きの容器によれば、内容物を取出すのに容器を傾ける必要がなく扱い易く、また押しボタン操作により毎回定量の内容物を取り出すことができる。
ところで上記したディスペンサーは、その構造上内容物を吐出した後に、ノズル内にどうしても吐出し残した内容物が残留してしまうのが通常である。
このため従来のディスペンサーでは、ノズル内に残留する内容物が、時間の経過と共にノズル通路内に侵入した外気によって押し出されて、液垂れとなってノズル先端に漏出して周辺を汚したり、あるいはノズル内に残留した内容物が乾燥固化してノズル内の通路詰まりの原因となっていた。
この問題を解決する手段として、ノズルの先端開口部の外側面に封止ストッパーを取付けることが提案されている（特許文献１）。封止ストッパーは、スプリング部材と連結されていて、内容物の吐出圧によりスプリング部材が延びて封止ストッパーをノズルの先端開口部から押し離し、内容物の吐出圧が解除された際には封止ストッパーをノズルの先端開口部に圧接させるようになっている。しかし、このような封止ストッパーは構造が複雑で高価である。
【特許文献１】実開平５−３５７１５号公報
【発明の開示】
【発明が解決しようとする課題】
【０００３】
本発明の目的は、ディスペンサーのノズル部に液垂れ防止チューブを挿入設置してなる、構造が単純で、安価な液垂れ防止機能付きディスペンサーを提供することにある。
【課題を解決するための手段】
【０００４】
本発明者は、前記目的を達成するために鋭意検討した結果、ディスペンサーのノズル部にエラストマー製のチューブを挿入することによって、液垂れが防止されることを見出した。本発明はこの知見に基づいてさらに検討した結果完成したものである。
【０００５】
すなわち、本発明は、ノズルおよび押しボタンを含んでなる内容物を押しボタンの押圧操作によって吐出させるディスペンサーにおいて、ノズルの先端開口部の外に突き出るように、ノズル通路内にエラストマー製のチューブを挿入してなる液垂れ防止機能付きディスペンサー、である。
【発明の効果】
【０００６】
本発明の液垂れ防止機能付きディスペンサーは、単純な構造であるので安価に製造することができる。そして本発明の液垂れ防止機能付きディスペンサーによれば、ディスペンサーの使用後にノズル内に内容物が残留しても、ノズル内の残留内容物の漏出や、内容物の乾燥固化等が防止される。また内容物が固化しても液垂れ防止チューブを抜き取ることによって固化物が除かれ、そして、新たに液垂れ防止チューブを差し込むことにより液垂れが防止できる。
【発明を実施するための最良の形態】
【０００７】
本発明の液垂れ防止機能付きディスペンサーを、図面を参照しながら説明する。なお、本発明は図面に示したものに限定されない。
【０００８】
本発明の液垂れ防止機能付きディスペンサーは、内容物を押しボタンの押圧操作によって吐出させるディスペンサーにおいて、ノズルの先端開口部の外に突き出るように、ノズル通路内にエラストマー製のチューブを挿入してなるものである。
図１は、本発明のディスペンサー１をポリプロピレン等の樹脂材料で形成された容器２に取付けた状態を示している。ディスペンサー１は、内容物を吐出するためのノズル７と、それと一体化された押しボタン３とで構成されている。押しボタン３を押すと容器２内の液体が汲み上げられノズルを通して吐出させることができる。
【０００９】
ノズル７および押しボタン３は、通常、硬質の樹脂材料や金属で形成されている。本発明のディスペンサー１では、ノズルの先端開口部６の外に突き出るように、ノズル通路５内にエラストマー製のチューブ４が挿入されて取り付けられている。
チューブの長さは、ノズル通路５内から先端開口部６の外に突き出る程度の長さであれば特に制限されず、ノズルの長さに応じて適宜選択できる。チューブは、吐出された液体がノズル通路５の内壁とチューブ４の外壁との間を通って外に出てこない程度に、そしてディスペンサーによる吐出圧によってチューブ４がノズル通路から押し出されない程度に密着する太さを有している。吐出された液体はチューブ４の内孔（ルーメン）を通って外に排出される。
【００１０】
チューブ４はエラストマー製である。エラストマーとしては、シリコンゴム、天然ゴム、フッ素ゴム、スチレン‐ブタジエン共重合体ゴム、ニトリルゴム、ブタジエンゴムなどが挙げられる。これらのうちシリコンゴムが好ましい。
【００１１】
先端開口部から外に突き出たチューブ４の先端は、吐出した液体の切れを良くするために、また液垂れ防止のために、斜めにカットされていることが好ましい。
【図面の簡単な説明】
【００１２】
【図１】本発明の液垂れ防止機能付きディスペンサーの一実施態様例を示す概念図
【符号の説明】
【００１３】
１：ディスペンサー
２：容器
３：押しボタン
４：チューブ
５：ノズル通路
６：ノズル先端開口部
７：ノズル
【図１】
0005096068.tif 000002